(57)【要約】【課題】手に簡単に装着し、また、手から簡単に取り外すことができ、手のスキンケアなどに効果的に使用することができる使い捨て用の不織布手袋及び、これを利用したスキンケア方法。【解決手段】手の形状を有する２枚の合成樹脂製の不織布を上下に積層し、当該上下に積層された２枚の不織布の前記手の形状の輪郭部を互いに溶着させてなる不織布手袋。保湿クリーム、手荒れ防止クリーム、ハンドクリームなどを手指に塗布した後、前記保湿クリーム、手荒れ防止クリーム、ハンドクリームなどが手指に塗布されている手に前記不織布手袋を装着することにより、前記不織布手袋を前記手に装着している間に前記保湿クリーム、手荒れ防止クリーム、ハンドクリームなどの効果を発揮させるスキンケア方法。【選択図】図３
2013072146.tif 000002
【特許請求の範囲】
【請求項１】
手の形状を有する２枚の合成樹脂製の不織布を上下に積層し、当該上下に積層された２枚の不織布の前記手の形状の輪郭部を互いに溶着させてなる不織布手袋。
【請求項２】
前記輪郭部の溶着は、弱溶着加工であって、前記上下に積層されている２枚の不織布を、前記溶着された輪郭部において簡易に引きはがし可能であることを特徴とする請求項１記載の不織布手袋。
【請求項３】
保湿クリーム、手荒れ防止クリーム、ハンドクリームなどを手指に塗布した後、前記保湿クリーム、手荒れ防止クリーム、ハンドクリームなどが手指に塗布されている手に請求項１又は２記載の不織布手袋を装着することにより、前記不織布手袋を前記手に装着している間に前記保湿クリーム、手荒れ防止クリーム、ハンドクリームなどの効果を発揮させることを特徴とするスキンケア方法。
【請求項４】
前記不織布手袋を前記手に装着している間に、前記手指に塗布されている前記保湿クリーム、手荒れ防止クリーム、ハンドクリームなどが周囲につくことを防止できる請求項３記載のスキンケア方法。
【発明の詳細な説明】
【技術分野】
【０００１】
この発明は不織布製の手袋に関し、特に、手に簡単に装着し、また、手から簡単に取り外すことができ、手のスキンケアなどに効果的に使用することができる不織布手袋と、これを利用したスキンケア方法に関する。
【背景技術】
【０００２】
従来から不織布製の手袋が提案されている（例えば、特許文献１）。特許文献１記載の発明は、固形石鹸、クリーム、ローション、ジェルなどの種々の形態のクレンジングやコンディショニング製品を含浸させた状態で使用者が使用できる使い捨て不織布クレンジング手袋である。
【０００３】
また、ゴム製、ビニール製の手袋の内側に装着する使い捨ての不織布製インナー手袋や、スキンケア用の手袋なども提案されている（特許文献２、３）
【先行技術文献】
【特許文献】
【０００４】
【特許文献１】特表２００６−５１９６３２号公報
【特許文献２】特開平１０‐３２５００７号公報
【特許文献３】実用新案登録第３１５７１３５号公報
【発明の概要】
【発明が解決しようとする課題】
【０００５】
前述したように、従来から、使い捨て用の不織布製手袋、不織布製インナー手袋、スキンケア用手袋などが提案されているが、手に簡単に装着し、また、手から簡単に取り外すことができ、手のスキンケアなどに効果的に使用することができる不織布手袋に関しては改善する余地が残されていた。
【０００６】
そこで、この発明は、手に簡単に装着し、また、手から簡単に取り外すことができ、手のスキンケアなどに効果的に使用することができる使い捨て用の不織布手袋及び、これを利用したスキンケア方法を提案することを目的にしている。
【課題を解決するための手段】
【０００７】
前記目的の達成を目指して本願が提案する請求項１記載の発明は、
手の形状を有する２枚の合成樹脂製の不織布を上下に積層し、当該上下に積層された２枚の不織布の前記手の形状の輪郭部を互いに溶着させてなる不織布手袋
である。
【０００８】
また、請求項２記載の発明は、
前記輪郭部の溶着は、弱溶着加工であって、前記上下に積層されている２枚の不織布を、前記溶着された輪郭部において簡易に引きはがし可能であることを特徴とする請求項１記載の不織布手袋
である。
【０００９】
そして、請求項３記載の発明は、
保湿クリーム、手荒れ防止クリーム、ハンドクリームなどを手指に塗布した後、前記保湿クリーム、手荒れ防止クリーム、ハンドクリームなどが手指に塗布されている手に請求項１又は２記載の不織布手袋を装着することにより、前記不織布手袋を前記手に装着している間に前記保湿クリーム、手荒れ防止クリーム、ハンドクリームなどの効果を発揮させることを特徴とするスキンケア方法
である。
【００１０】
請求項４記載の発明は、
前記不織布手袋を前記手に装着している間に、前記手指に塗布されている前記保湿クリーム、手荒れ防止クリーム、ハンドクリームなどが周囲につくことを防止できる請求項３記載のスキンケア方法
である。
【発明の効果】
【００１１】
この発明によれば、手に簡単に装着し、また、手から簡単に取り外すことができ、手のスキンケアなどに効果的に使用することができる使い捨て用の不織布手袋と、これを利用した効果的なスキンケア方法を提供することができる。
【図面の簡単な説明】
【００１２】
【図１】本発明の不織布手袋の一例を表す平面図。
【図２】本発明の不織布手袋を手に装着した状態の一例を表す平面図。
【図３】手に装着されている本発明の不織布手袋を取り外す状態の一例を説明する平面図。
【発明を実施するための形態】
【００１３】
以下、添付図面を参照して本発明の好ましい実施形態を説明する。
【００１４】
本発明の不織布手袋１は、手の形状を有する２枚の合成樹脂製の不織布２、３を上下に積層し、図１において破線４で表されている不織布２、３の手の形状の輪郭部を互いに溶着させてなるものである。
【００１５】
このように、手の形状をしている２枚の不織布２、３の手の形状の輪郭部４、４を互いに溶着させて製造するものであるので、溶着による貼り付けが可能なものであれば、合成樹脂製の不織布２、３の素材は問わない。例えば、ポリプロピレン製、ポリエチレン製、等の種々の合成樹脂製の不織布を不織布２、３として使用することができる。
【００１６】
本発明の不織布手袋１は、前述したように、手の形状をしている２枚の不織布２、３の手の形状の輪郭部４、４を互いに溶着させて製造しているので、図１図示のものを左右どちらの手にも装着することができる。また、図１における不織布手袋１の表面側も、裏面側も、いすれも、合成樹脂製の不織布２、３で形成されているので、本発明の不織布手袋１は極めて薄く、簡単に手５に装着することができ、また、手に装着しているときに手５や、指６に対して余分な圧迫感を与えることがなく、ソフトな肌触りで、装着している間に蒸れなどを感じることもない。
【００１７】
上述した輪郭部４の溶着は、弱溶着加工である。そこで、上下に積層されている２枚の不織布２、３を、溶着された輪郭部４において簡易に引きはがすことが可能である。
【００１８】
例えば、図３図示のように、手５に装着されている状態で、上側の不織布２の端部９をつまんで矢印７で示す方向に引っ張ることにより、溶着された輪郭部４において不織布２、３を簡易に引きはがすことができ、図３において符号８で示している溶着部が、小さな力で簡単に、引き離されていく。
【００１９】
そこで、本発明の不織布手袋１は上述したように簡単に手５に装着できるだけでなく、簡単に手から引き外すことができる。
【００２０】
次に、本発明の不織布手袋１を使用したスキンケア方法についてその一例を説明する。
【００２１】
まず、不図示の保湿クリームや、手荒れ防止クリーム、ハンドクリーム、あるいは薬品などを、手５、指６に塗布する。その後、保湿クリームなどが塗布されている手５に本発明の不織布手袋１を装着する（図２）。
【００２２】
これによって、不織布手袋１を手５に装着している間に前記の保湿クリーム、手荒れ防止クリーム、ハンドクリームなどの効果を発揮させることができる。
【００２３】
例えば、就寝前に保湿クリームなどを塗布した手５に本発明の不織布手袋１を装着しておくことにより、就寝中に当該保湿クリームの効果を十分に発揮させ、手５、指６をしっとりさせることができる。
【００２４】
一方、こうして不織布手袋１を手５に装着している間、例えば、就寝中、不織布手袋１を構成している不織布２、３が、手５、指６の全体を覆っていることにより、手５、指６に塗布されていた保湿クリームなどによるベタつきを感じることはなく、寝具が保湿クリームなどによって汚れるおそれもない。
【００２５】
こうして使用が終わったならば、図３を用いて説明したように、簡単に手５から引きはがして捨てることができるので本発明の不織布手袋１は手軽に使用することができ、また、衛生的である。
【００２６】
以上、添付図面を参照して、本発明の好ましい実施形態、実施例を説明したが、本発明は、かかる実施形態に限定されるものではなく、特許請求の範囲の記載から把握される技術的範囲において種々の形態に変更可能である。
【００２７】
例えば、本発明の不織布手袋１は上述したように、ソフトで薄く、装着していても蒸れることがなく、はめ心地がしなやかなので、一般的な軽作業を行う際に手５に装着して使用することに適している。また、手が荒れやすい人や、肌が敏感な人などが、ゴム手袋、炊事用手袋などの内側にインナー手袋として使用すると効果的であり、自転車やミニバクなどのハンドルカバー内に手を挿入する際に、本発明の不織布手袋１を装着していると蒸れを防止するのに効果的である。
【符号の説明】
【００２８】
１  不織布手袋
２  手の形状を有する合成樹脂製の不織布
３  手の形状を有する合成樹脂製の不織布
４  手の形状の輪郭部
５  手
６  指
【図１】
2013072146.tif 000003
【図２】
2013072146.tif 000004
【図３】
2013072146.tif 000005